(57)【要約】  本発明は、装着することにより筋肉のタルミや皮膚のシワの発生等を軽減でき、かつ、着用時に肉体的負担がほとんどない快適な装着感を有するブラジャーを提供する。本発明は、乳房を収納するカップ部１、該カップ部を固定する土台部２、体側から背面を覆う伸縮性を有する脇バンド部３、及び肩紐４を有する女性用衣料であって、広背筋脇部を持ち上げるための非伸縮性生地よりなる第一部材５が、着用時に該第一部材が広背筋脇部に当接するように前記脇バンド部３に配設され、かつ、大胸筋脇部を持ち上げるための非伸縮性生地よりなる第二部材６が、着用時に該第二部材が大胸筋脇部に当接するように前記土台部２に配設されてなる女性用衣料、及びその製法に関する。【特許請求の範囲】
【請求項１】
乳房を収納するカップ部、該カップ部を固定する土台部、体側から背面を覆う伸縮性を有する脇バンド部、及び肩紐を有する女性用衣料であって、広背筋脇部を持ち上げるための非伸縮性生地よりなる第一部材が、着用時に該第一部材が広背筋脇部に当接するように前記脇バンド部に配設され、かつ、大胸筋脇部を持ち上げるための非伸縮性生地よりなる第二部材が、着用時に該第二部材が大胸筋脇部に当接するように前記土台部に配設されてなる女性用衣料。
【請求項２】
前記第一部材が略三角形をなし、着用時にその一辺が広背筋脇部に当接するように前記脇バンド部に配設され、かつ、前記第二部材が略三角形をなし、着用時にその一辺が大胸筋脇部に当接するように前記土台部に配設されてなる請求項１に記載の女性用衣料。
【請求項３】
前記第一部材が略直角三角形をなし、着用時にその斜辺が広背筋脇部に当接するように前記脇バンド部に配設され、かつ、前記第二部材が略直角三角形をなし、着用時にその斜辺が大胸筋脇部に当接するように前記土台部に配設されてなる請求項２に記載の女性用衣料。
【請求項４】
前記の略直角三角形をなす第一部材の底辺が前記脇バンド部の底辺に接しており、該第一部材の垂辺が前記土台部と前記脇バンド部の接合部に接しており、かつ、前記の略直角三角形をなす第二部材の底辺が前記土台部の底辺に接しており、該第二部材の垂辺が前記土台部と前記脇バンド部の接合部に接している請求項３に記載の女性用衣料。
【請求項５】
前記の略直角三角形をなす第一部材の底辺が４〜８ｃｍ程度であり、該第一部材の垂辺が５〜１０ｃｍ程度であり、かつ、前記の略直角三角形をなす第二部材の底辺が４〜８ｃｍ程度であり、該第二部材の垂辺が５〜１０ｃｍ程度である請求項３に記載の女性用衣料。
【請求項６】
前記第一部材及び第二部材の素材がマーキゼットである請求項１に記載の女性用衣料。
【請求項７】
前記第二部材が土台部の一部である請求項１に記載の女性用衣料。
【請求項８】
前記女性用衣料が、ブラジャー、ボディースーツ、ブラスリップ、キャミソール及び水着からなる群より選ばれる少なくとも１種である請求項１に記載の女性用衣料。
【請求項９】
乳房を収納するカップ部、該カップ部を固定する土台部、体側から背面を覆う伸縮性を有する脇バンド部、及び肩紐を有する女性用衣料の製法であって、広背筋脇部を持ち上げるための非伸縮性生地よりなる第一部材を、着用時に該第一部材が広背筋脇部に当接するように前記脇バンド部に配設するステップと、大胸筋脇部を持ち上げるための非伸縮性生地よりなる第二部材を、着用時に該第二部材が大胸筋脇部に当接するように前記土台部に配設するステップとを備えた女性用衣料の製法。
【請求項１０】
乳房を収納するカップ部、該カップ部を固定する非伸縮性生地よりなる土台部、体側から背面を覆う伸縮性を有する脇バンド部、及び肩紐を有する女性用衣料であって、広背筋脇部を持ち上げるための非伸縮性生地よりなる第一部材が、着用時に該第一部材が広背筋脇部に当接するように前記脇バンド部に配設されてなる女性用衣料。
【請求項１１】
前記第一部材が略三角形をなし、着用時にその一辺が広背筋脇部に当接するように前記脇バンド部に配設されてなる請求項１０に記載の女性用衣料。
【請求項１２】
前記第一部材が略直角三角形をなし、着用時にその斜辺が広背筋脇部に当接するように前記脇バンド部に配設されてなる請求項１１に記載の女性用衣料。
【請求項１３】
前記の略直角三角形をなす第一部材の底辺が前記脇バンド部の底辺に接しており、該第一部材の垂辺が前記土台部と前記脇バンド部の接合部に接している請求項１２に記載の女性用衣料。
【請求項１４】
前記の略直角三角形をなす第一部材の底辺が４〜８ｃｍ程度であり、該第一部材の垂辺が５〜１０ｃｍ程度である請求項１２に記載の女性用衣料。
【請求項１５】
前記第一部材の素材がマーキゼットである請求項１０に記載の女性用衣料。
【請求項１６】
前記女性用衣料が、ブラジャー、ボディースーツ、ブラスリップ、キャミソール及び水着からなる群より選ばれる少なくとも１種である請求項１０に記載の女性用衣料。
【請求項１７】
乳房を収納するカップ部、該カップ部を固定する非伸縮性生地よりなる土台部、体側から背面を覆う伸縮性を有する脇バンド部、及び肩紐を有する女性用衣料の製法であって、広背筋脇部を持ち上げるための非伸縮性生地よりなる第一部材を、着用時に該第一部材が広背筋脇部に当接するように前記脇バンド部に配設するステップを備えた女性用衣料の製法。
【発明の詳細な説明】
【技術分野】
【０００１】
本発明は、着用時に圧迫感や窮屈感が少なく、かつ、着用することにより血行が促進され筋肉や皮膚のタルミを改善し得る、ブラジャーに代表される女性用衣料に関する。
【背景技術】
【０００２】
ブラジャーは、女性の乳房を保持して胸部のボディーラインを美しく見せる下着として用いられている。その一方、着用時のボディーラインの補正機能が優先するあまり、圧迫感や窮屈感が大きく、着用すること自体が女性に過大な肉体的負担となっていることも事実である。【０００３】
このように、ボディーラインの補正機能を保持しつつ、着用時における過大な肉体的負担を軽減乃至解消できるブラジャー等の女性用衣料が存在すれば非常に望ましい。【０００４】
また、加齢に伴い人体の代謝機能が低下すると、筋肉のタルミや皮膚のシワの発生等が顕著になる。女性の立場から、タルミやシワの発生を少しでも抑えて美しい外観を維持しようとするのは当然である。【０００５】
従って、このようなタルミやシワの発生を、日常的な衣料の着用等の簡易な方法で軽減乃至解消することができれば、極めて有意義である。
【発明の開示】
【発明が解決しようとする課題】
【０００６】
本発明は、着用することにより筋肉のタルミや皮膚のシワの発生等を軽減でき、かつ、着用時に肉体的負担がほとんどない快適な着用感を有するブラジャー等の女性用衣料を提供することを目的とする。
【課題を解決するための手段】
【０００７】
本発明者は、鋭意研究を行った結果、女性の乳房を収納するカップ部１、該カップ部を固定する土台部２、体側から背面を覆う伸縮性を有する脇バンド部３、及び肩紐４を有する女性用衣料であって、広背筋脇部を持ち上げるための非伸縮性生地よりなる第一部材５が、前記女性用衣料の着用時に該第一部材が広背筋脇部に当接するように前記脇バンド部に配設され、かつ、大胸筋脇部を持ち上げるための非伸縮性生地よりなる第二部材６が、前記女性用衣料の着用時に該第二部材が大胸筋脇部に当接するように前記土台部に配設されてなる女性用衣料が、上記の目的を達成できることを見出した。発明者は、かかる知見に基づき、さらに研究を重ねて本発明を完成するに至った。【０００８】
即ち、本発明は、下記の女性用衣料及びその製法を提供する。【０００９】
項１．乳房を収納するカップ部、該カップ部を固定する土台部、体側から背面を覆う伸縮性を有する脇バンド部、及び肩紐を有する女性用衣料であって、広背筋脇部を持ち上げるための非伸縮性生地よりなる第一部材が、着用時に該第一部材が広背筋脇部に当接するように前記脇バンド部に配設され、かつ、大胸筋脇部を持ち上げるための非伸縮性生地よりなる第二部材が、着用時に該第二部材が大胸筋脇部に当接するように前記土台部に配設されてなる女性用衣料。【００１０】
項２．前記第一部材が略三角形をなし、着用時にその一辺が広背筋脇部に当接するように前記脇バンド部に配設され、かつ、前記第二部材が略三角形をなし、着用時にその一辺が大胸筋脇部に当接するように前記土台部に配設されてなる項１に記載の女性用衣料。【００１１】
項３．前記第一部材が略直角三角形をなし、着用時にその斜辺が広背筋脇部に当接するように前記脇バンド部に配設され、かつ、前記第二部材が略直角三角形をなし、着用時にその斜辺が大胸筋脇部に当接するように前記土台部に配設されてなる項２に記載の女性用衣料。【００１２】
項４．前記の略直角三角形をなす第一部材の底辺が前記脇バンド部の底辺に接しており、該第一部材の垂辺が前記土台部と前記脇バンド部の接合部に接しており、かつ、前記の略直角三角形をなす第二部材の底辺が前記土台部の底辺に接しており、該第二部材の垂辺が前記土台部と前記脇バンド部の接合部に接している項３に記載の女性用衣料。【００１３】
項５．前記の略直角三角形をなす第一部材の底辺が４〜８ｃｍ程度であり、該第一部材の垂辺が５〜１０ｃｍ程度であり、かつ、前記の略直角三角形をなす第二部材の底辺が４〜８ｃｍ程度であり、該第二部材の垂辺が５〜１０ｃｍ程度である項３又は４に記載の女性用衣料。【００１４】
項６．前記第一部材及び第二部材の素材がマーキゼットである項１〜５のいずれかに記載の女性用衣料。【００１５】
項７．前記第二部材が土台部の一部である項１〜６のいずれかに記載の女性用衣料。【００１６】
項８．前記女性用衣料が、ブラジャー、ボディースーツ、ブラスリップ、キャミソール及び水着からなる群より選ばれる少なくとも１種である項１〜７のいずれかに記載の女性用衣料。【００１７】
項９．乳房を収納するカップ部、該カップ部を固定する土台部、体側から背面を覆う伸縮性を有する脇バンド部、及び肩紐を有する女性用衣料の製法であって、広背筋脇部を持ち上げるための非伸縮性生地よりなる第一部材を、着用時に該第一部材が広背筋脇部に当接するように前記脇バンド部に配設するステップと、大胸筋脇部を持ち上げるための非伸縮性生地よりなる第二部材を、着用時に該第二部材が大胸筋脇部に当接するように前記土台部に配設するステップとを備えた女性用衣料の製法。【００１８】
項１０．乳房を収納するカップ部、該カップ部を固定する非伸縮性生地よりなる土台部、体側から背面を覆う伸縮性を有する脇バンド部、及び肩紐を有する女性用衣料であって、広背筋脇部を持ち上げるための非伸縮性生地よりなる第一部材が、着用時に該第一部材が広背筋脇部に当接するように前記脇バンド部に配設されてなる女性用衣料。【００１９】
項１１．前記第一部材が略三角形をなし、着用時にその一辺が広背筋脇部に当接するように前記脇バンド部に配設されてなる項１０に記載の女性用衣料。【００２０】
項１２．前記第一部材が略直角三角形をなし、着用時にその斜辺が広背筋脇部に当接するように前記脇バンド部に配設されてなる項１１に記載の女性用衣料。【００２１】
項１３．前記の略直角三角形をなす第一部材の底辺が前記脇バンド部の底辺に接しており、該第一部材の垂辺が前記土台部と前記脇バンド部の接合部に接している項１２に記載の女性用衣料。【００２２】
項１４．前記の略直角三角形をなす第一部材の底辺が４〜８ｃｍ程度であり、該第一部材の垂辺が５〜１０ｃｍ程度である項１２又は１３に記載の女性用衣料。【００２３】
項１５．前記第一部材の素材がマーキゼットである項１０〜１４のいずれかに記載の女性用衣料。【００２４】
項１６．前記女性用衣料が、ブラジャー、ボディースーツ、ブラスリップ、キャミソール及び水着からなる群より選ばれる少なくとも１種である項１０〜１６のいずれかに記載の女性用衣料。【００２５】
項１７．乳房を収納するカップ部、該カップ部を固定する非伸縮性生地よりなる土台部、体側から背面を覆う伸縮性を有する脇バンド部、及び肩紐を有する女性用衣料の製法であって、広背筋脇部を持ち上げるための非伸縮性生地よりなる第一部材を、着用時に該第一部材が広背筋脇部に当接するように前記脇バンド部に配設するステップを備えた女性用衣料の製法。【００２６】
以下、本発明の女性用衣料について詳述する。【００２７】
本発明の女性用衣料の種類は、乳房を収納するカップ部１、該カップ部を固定する土台部２、体側から背面を覆う伸縮性を有する脇バンド部３、及び肩紐４を有するものであれば特に限定はなく、例えば、ブラジャー、ボディースーツ、ブラスリップ、キャミソール、水着等が挙げられる。【００２８】
このうち、女性用衣料の典型例であるブラジャーの形態例を挙げて、本発明を具体的に説明するが、本発明はこれに限定されるものではない。【００２９】
第１形態
本発明のブラジャーの第一形態としては、次のようなものが例示される。【００３０】
本発明のブラジャーの第一形態は、乳房を収納するカップ部１、該カップ部を固定する土台部２、体側から背面を覆う伸縮性を有する脇バンド部３、及び肩紐４より構成されるブラジャーであって、広背筋脇部を持ち上げるための非伸縮性生地よりなる第一部材５（以下、「第一部材」とも表記する）が、ブラジャー着用時に該第一部材が広背筋脇部に当接するように前記脇バンド部３に配設され、かつ、大胸筋脇部を持ち上げるための非伸縮性生地よりなる第二部材６（以下、「第二部材」とも表記する）が、ブラジャー着用時に該第二部材が大胸筋脇部に当接するように前記土台部２に配設されているブラジャーである。【００３１】
第一部材５の素材としては、非伸縮性生地であれば特に限定はなく、強度、通気性等の点から、例えばマーキゼットが好適である。【００３２】
また、第一部材５の形状は、ブラジャー着用時に広背筋脇部に当接し、広背筋１０を持ち上げる働きを有する形状であれば特に限定はない。例えば、略三角形のものが挙げられる。略三角形とは、三角形乃至それに近い形状（各辺が緩やかな曲線を有する三角形状等を含む）を意味する。そのうち好ましくは、略直角三角形、特に好ましくは直角三角形である。【００３３】
略三角形の第一部材５は、ブラジャー着用時にその一辺が広背筋脇部に当接するように脇バンド部３に配設される。具体的には、図１及び図２に示すように、略直角三角形の第一部材５は、ブラジャー着用時にその斜辺Ｘ３が広背筋脇部に当接するように脇バンド部３に配設される。【００３４】
略直角三角形の第一部材５の直角を挟む一方の辺、即ち、第一部材５の底辺Ｘ１は、脇バンド部の底辺３ａに接しているのが好ましい。この場合、第一部材５の底辺Ｘ１の長さは、４〜８ｃｍ程度（特に、６〜８ｃｍ程度）であればよい。これは、第一部材５の底辺の長さが短すぎると広背筋脇部に当接しない場合があり、底辺の長さが長すぎると脇バンド部３の伸縮領域が減少し広背筋脇部の持ち上げ効果が減少してしまう場合があるからである。【００３５】
また、略直角三角形の第一部材５の直角を挟む他方の辺、即ち、第一部材５の垂辺Ｘ２は、土台部２と脇バンド部３との接合部８と接して配設されているのが好ましい。略直角三角形の第一部材５の垂辺Ｘ２は、５〜１０ｃｍ程度（特に、７〜８ｃｍ程度）であればよい。これは、第一部材５の垂辺を、接合部８の長さに一致させることがブラジャーの構成上必要であるためであり、垂辺が長すぎると接合部８からはみ出す場合があるからである。【００３６】
いずれにしても、第一部材５は、その斜辺が広背筋脇部に当接するように脇バンド部３に配設されていることが必要であり、これを満たす範囲で、ブラジャーの形態（脇バンド部３の形状等）に応じて、第一部材５の略直角三角形状を適宜変化させることができる。【００３７】
脇バンド部３は、通常、パワーネット、トリコット等の伸縮性生地で構成されている。非伸縮性の第一部材５は、縫製、接着等により脇バンド部３に配設される。第一部材５は、脇バンド部３の表面或いは裏面のいずれに配設してもよいが、裏面の方が好ましい。【００３８】
例えば、第一部材５の垂辺部Ｘ２は、土台部２と脇バンド部３との境界縫合部（接合部）８を被うスパンテープ生地の下側（テープ生地と脇バンド部生地の間）に挟み、テープとともに縫い合わせることができる。第一部材５の底辺Ｘ１は、脇バンド部の底辺３ａを被覆するスパンテープ生地の下側（テープ生地と脇バンド部生地の間）に挟み、テープとともに縫い合わせることができる。第一部材５の斜辺Ｘ３は、端部を折り返し、脇バンド部３の生地に直接縫いつけることができる。【００３９】
或いは、伸縮性を有する脇バンド部３を編みたてる時に、非伸縮性編み糸にて第一部材５を編成するなどして、脇バンド部３の一部に第一部材５を設けてもよい。【００４０】
第二部材６の素材としては、非伸縮性生地であれば特に限定はなく、強度、通気性等の点から、例えば、マーキゼットが好適である。第二部材６は、第一部材５と同じ素材であっても異なっていてもよい。【００４１】
第二部材６の形状は、ブラジャー着用時に大胸筋脇部に当接し、大胸筋１１を持ち上げる働きを有する形状であれば特に限定はない。中でも、第一部材５と同様に、略三角形、好ましくは略直角三角形、特に好ましくは直角三角形である。【００４２】
略三角形の第二部材６は、ブラジャー着用時にその一辺が大胸筋脇部に当接するように土台部２に配設される。具体的には、図１及び図２に示すように、略直角三角形の第二部材６は、ブラジャー着用時にその斜辺Ｙ３が大胸筋脇部に当接するように土台部２に配設される。【００４３】
略直角三角形の第二部材６の直角を挟む一方の辺、即ち、第二部材６の底辺Ｙ１は、土台部の底辺２ａに接しているのが好ましい。この場合、第二部材６の底辺Ｙ１は４〜８ｃｍ程度（特に、６〜８ｃｍ程度）であればよい。これは、第二部材６の底辺の長さが短すぎると大胸筋脇部に当接しない場合があり、底辺長さが長すぎると脇バンド部３の伸縮領域が減少し大胸筋脇部の持ち上げ効果が減少してしまう場合があるからである。【００４４】
また、略直角三角形の第二部材６の直角を挟む他方の辺、即ち、第二部材６の垂辺Ｙ２は、土台部２と脇バンド部３との接合部８と接しているのが好ましい。第二部材６の垂辺Ｙ２は、５〜１０ｃｍ程度（特に、７〜８ｃｍ程度）であればよい。これは、第二部材６の垂辺を、接合部８の長さに一致させることがブラジャーの構成上必要であるためであり、垂辺が長すぎると接合部８からはみ出してしまうからである。【００４５】
いずれにしても、第二部材６は、その斜辺Ｙ３が大胸筋脇部に当接するように土台部２に配設されていることが必要であり、これを満たす範囲で、ブラジャーの形態（土台部の形状等）に応じて、第二部材６の略直角三角形状を適宜変化させることができる。【００４６】
土台部２は、伸縮性生地或いは非伸縮性生地のいずれでもよいが、通常、乳房を収納するカップ部１の型くずれを防ぐため、任意の編地にマーキゼットを貼り付けた生地等の非伸縮性生地が好適である。第二部材６は、縫製、接着等によりこの土台部２に配設される。第二部材６は、土台部２の表面或いは裏面のいずれに配設してもよいが、裏面の方が好ましい。【００４７】
例えば、第二部材６の垂辺Ｙ２は、接合部８を被うスパンテープ生地の下側に挟み、テープとともに縫い合わせることができる。第二部材６の底辺Ｙ１は、土台部の底辺２ａを被覆するスパンテープ生地の下側に挟み、テープとともに縫い合わせることができる。第二部材６の斜辺Ｙ３は、端部を折り返し、土台部２の生地に直接縫いつけることができる。【００４８】
或いは、第二部材６が土台部２の一部を構成していても良い。【００４９】
第２形態
上記第一形態の土台部２が非伸縮性生地からなり第二部材６の特性を兼ね備えている場合には、本発明のブラジャーの第二形態として、上記第一形態から第二部材６を省略したものを挙げることができる。【００５０】
本発明のブラジャーの第二形態は、乳房を収納するカップ部１、該カップ部を固定する非伸縮性生地よりなる土台部２、体側から背面を覆う伸縮性を有する脇バンド部３、及び肩紐４より構成されるブラジャーであって、広背筋脇部を持ち上げるための非伸縮性生地よりなる第一部材５（第一部材）が、ブラジャー着用時に該第一部材が広背筋脇部に当接するように前記脇バンド部３に配設されているブラジャーである。【００５１】
第一部材５の素材や形状は、上記第一形態で記載したものを採用することができる。【００５２】
略三角形の第一部材５は、ブラジャー着用時にその一辺が広背筋脇部に当接するように脇バンド部３に配設される。具体的には、略直角三角形の第一部材５は、図３に示すように、ブラジャー着用時にその斜辺Ｘ３が広背筋脇部に当接するように、脇バンド部３に配設されている。【００５３】
略直角三角形の第一部材５の底辺Ｘ１は、脇バンド部の底辺３ａに接しているのが好ましい。この場合、第一部材５の底辺Ｘ１の長さは４〜８ｃｍ程度（特に、６〜８ｃｍ程度）であればよい。これは、第一部材５の底辺の長さが短すぎると広背筋脇部に当接しない場合があり、底辺長さが長すぎると脇バンド部３の伸縮領域が減少し広背筋脇部の持ち上げ効果が減少してしまう場合があるからである。【００５４】
また、略直角三角形の第一部材５の垂辺Ｘ２は、土台部２と脇バンド部３との接合部８と接しているのが好ましく、第一部材５の垂辺Ｘ２は、５〜１０ｃｍ程度（特に、７〜８ｃｍ）であればよい。これは、第一部材５の垂辺を、接合部８の長さに一致させることがブラジャーの構成上必要であるためであり、垂辺が長すぎると接合部８からはみ出す場合があるからである。【００５５】
いずれにしても、第一部材５は、その斜辺Ｘ３が広背筋脇部に当接するように脇バンド部３に配設されていることが必要であり、これを満たす範囲で、ブラジャーの形態（脇バンド部３の形状等）に応じて、第一部材５の略直角三角形状を適宜変化させることができる。【００５６】
脇バンド部３は、通常、パワーネット、トリコット等の伸縮性生地で構成されている。非伸縮性の第一部材５は、縫製、接着等により脇バンド部３に配設される。第一部材５は、脇バンド部３の表面或いは裏面のいずれに配設してもよいが、裏面の方が好ましい。【００５７】
例えば、第一部材５の垂辺Ｘ２は、土台部２と脇バンド部３との接合部８を被うスパンテープ生地の下側に挟み、テープとともに縫い合わせることができる。第一部材５の底辺Ｘ１は、脇バンド部の底辺３ａを被覆するスパンテープ生地の下側に挟み、テープとともに縫い合わせることができる。第一部材５の斜辺Ｘ３は、端部を折り返し、脇バンド部３の生地に直接縫いつけることができる。【００５８】
或いは、伸縮性を有する脇バンド部３を編みたてる時に、非伸縮性編み糸にて第一部材５を編成するなどして、脇バンド部３の一部に第一部材５を設けてもよい。【００５９】
本発明のブラジャーを構成する、カップ部１、土台部２、脇バンド部３及び肩紐４は、いずれも公知のものを採用することができ、特に限定はない。例えば、次のようなものが例示される。【００６０】
カップ部１は、ふくらみのある乳房を見た目良く収容できる形状に縫製された部材であり、略円弧状の下辺縁（カップ部と土台部の接合部）に、ワイヤー７などの形状補正用の芯材が封入されたテープが縫着されているものが例示される。カップ部１は、この形態に限らず、公知のものを採用できる。【００６１】
土台部２は、上記カップ部１の位置を規定するとともに、ブラジャー装着者のアンダーバスト部分の正面および側面（両脇）に密接して上記カップ部１とともに乳房を支える部材であって、図１，３及び７のように、上記カップ部１の下辺縁に縫着されている。この土台部２には、非伸縮性の布地、または伸縮性を有する布地に非伸縮性の布地を縫着するなどして伸縮性を少なくした布地が使用される。なお、土台部２には、必要に応じてフロントホックなどの係止具が装着されていてもよい。【００６２】
脇バンド部３は、土台部２の両端に設けられ、体側から背面を覆う形状を有している。脇バンド部３は、土台部２の両端をつなぐものであればよく、背面に係止具を有していてもよい。例えば、図７のように、左右それぞれの脇バンド部３の先端には着脱可能に構成された係止具９が装着されていてもよい。上記係止具９は、周知のように、雌雄が係合する金具を備えて構成され、一方の脇バンド部３には雄の金具が、また他方の脇バンド部３には雌の金具が取り付けられている。脇バンド部３の素材は、伸縮性を有する布地が好適に使用される。なお、土台部２と脇バンド部３の境界は縫合されて接合部８を形成する。【００６３】
肩紐（ストラップ）４は、公知の伸縮性のものを採用できる。肩紐は、本発明の第一部材（及び第二部材）を備えた脇バンド部３（及び土台部２）をつり上げる役割を果たしている。これにより、広背筋脇部が好適に持ち上げられる。【００６４】
ブラジャーの特徴
上述したように、本発明のブラジャーは、脇バンド部３に第一部材５を配設（或いは、さらに土台部２に第二部材６を配設）した点に特徴を有している。そして、本発明では、かかるブラジャーを装着することにより、筋肉や皮膚に張りができ、シワやタルミが減少乃至解消される。【００６５】
具体的には、次のような顕著な効果が発揮される。【００６６】
例えば、（１）顔部分については、目の下の皺が浅くなり目立たなくなる（眼輪筋）、耳の位置が上がる（側頭筋）、眉が上がり額の皺が目立たなくなる（前頭筋）、口角が上がる（口輪筋）、フェイスラインが引き締まる（広頸筋）、頬の位置が上がりたるみがなくなる（大頬骨筋、小頬骨筋）等の顕著な効果が発揮される。【００６７】
また、（２）上半身については、鎖骨ラインの皺・窪みが減少し目立たなくなる（胸鎖乳突筋）、肩のラインが上がる（胸鎖乳突筋）、肩甲骨ラインがすっきりする（僧帽筋、広背筋）、二の腕に張り感が出て細くなる（三角筋）、横から見て手の位置が前方に出る（僧帽筋、広背筋）、乳房の位置が上に上がる（僧帽筋、広背筋）、アンダーバストとウェストの距離が長くなる（僧帽筋、広背筋）、腸（下腹）の贅肉が少なくなる（腹直筋）、腹全体のラインがすっきりする（腹直筋）等の顕著な効果が発揮される。【００６８】
また、（３）下半身については、ヒップライン（大臀部筋下部ライン）が上がる（大臀筋）、ピーマン状のヒップが丸くなる（外腹斜筋、広背筋）、アキレス腱がすっきりする（下肢の筋肉）、脹脛の位置が上がる（下肢の筋肉）、両足が内側重心になる（下肢の筋肉）等の顕著な効果が発揮される。【００６９】
さらに、本発明のブラジャーは、ブラジャーカップ上辺の弛みがなくなる、下カップの空間がなくなる、ブラジャーのアンダーテープが中に入り込まない、カップ脇のワイヤーの食い込みが減少する、ワイヤーラインの中に乳房が収まる等の理由により、優れた着用感を有している。しかも、本発明のブラジャーの着用時に、圧迫感や窮屈感はほとんどない。【００７０】
これまで、このような第一部材５（及び第二部材６）をブラジャーに適用した先行技術は存在せず、本発明のブラジャーは、全く新しい知見に基づき完成されたものである。本発明のブラジャーがこのような顕著な効果を発揮する理由は、今のところ明確ではないが、例えば次のように考えることができる。【００７１】
心臓に向かって流れる静脈と筋肉の模式図４を用いて説明する。図４に示すように、撓（とう）側皮静脈１３は、心臓１９に近い静脈であるため、この血管の血流量の阻害は全身の血行に大きな影響を及ぼすと考えられる。この撓側皮静脈１３は、大胸筋１１と三角筋１２の境界部を通過しているため、老化等により筋肉が弛むと、これらの筋肉の下垂移動により撓側皮静脈１３は捩れ、伸長、圧縮などの変形を起こし、このため圧搾が生じて血流が阻害される（図５）。すなわち、老化等で、三角筋１２の弛みによって撓側皮静脈１３が圧迫され心臓１９に流入する血流量が減少し、これがシワやたるみ発生の一因となっていると考えられる。【００７２】
本発明のブラジャーを着用すると、第一部材５（及び第二部材６）により、下垂した広背筋１０（及び大胸筋１１）が持ち上げられて、さらに三角筋１２が持ち上げられる。これにより、広背筋１０、三角筋１２、及び大胸筋１１がセットで持ち上げられて、下垂する前の状態に戻される（図６）。これにより、撓側皮静脈１３の狭窄が防止され、血流量が回復し血行が促進されることとなり、上記のような作用効果が発揮されると考えられる。【００７３】
なお、上記ブラジャー以外の女性用衣料（例えば、ボディースーツ、ブラスリップ、キャミソール、水着等）も、本発明で示されるカップ部１、該カップ部を固定する土台部２、伸縮性脇バンド部３及び肩紐４を含むものであれば、上記のブラジャーと同様の作用効果が発揮される。
【発明の効果】
【００７４】
本発明のブラジャーに代表される女性用衣料は、着用時に血行が促進される等の理由により、筋肉のタルミや皮膚のシワを減少乃至解消し、或いはそれらの発生を予防することができる。また、従来の女性用衣料と比べ、快適な着用感を有している。
【図面の簡単な説明】
【００７５】
【図１】本発明のブラジャー（第１形態）を着用した時の側面模式図である。
【図２】本発明のブラジャーにおける第一部材及び第二部材の拡大図である。
【図３】本発明のブラジャー（第２形態）を着用した時の側面模式図である。
【図４】心臓に向かって流れる静脈と筋肉の模式図である。
【図５】筋肉の下垂移動により変形を起こした撓側皮静脈と筋肉の模式図である。
【図６】正常な撓側皮静脈と筋肉の模式図である。
【図７】実施例１のブラジャーを示す図である。
【符号の説明】
【００７６】
１    カップ部
２    土台部
２ａ  土台部の底辺
３    脇バンド部
３ａ  脇バンド部の底辺
４    肩紐
５    第一部材（広背筋持ち上げ布）
６    第二部材（大胸筋持ち上げ布）
７    ワイヤー
８    接合部
９    係止具
１０  広背筋
１１  大胸筋
１２  三角筋
１３  撓側皮静脈
１４  腋窩静脈
１５  尺側皮静脈
１６  外頚静脈
１７  内頚静脈
１８  鎖骨下静脈
１９  心臓
２０  大胸筋展開切片
Ｘ１  第一部材の底辺（４〜８ｃｍ）
Ｘ２  第一部材の垂辺（５〜１０ｃｍ）
Ｘ３  第一部材の斜辺
Ｙ１  第二部材の底辺（４〜８ｃｍ）
Ｙ２  第二部材の垂辺（５〜１０ｃｍ）
Ｙ３  第二部材の斜辺
【発明を実施するための最良の形態】
【００７７】
次に本発明を、実施例を用いて説明するが、本発明はこれに限定されるものではない。
【実施例１】
【００７８】
本発明のブラジャーの第１形態を、次のようにして製造した（図１，２及び７を参照）。【００７９】
パワーネット生地（伸縮性のある縦編み生地）からなる脇バンド部３、装飾性のあるレース生地からなる表生地およびマーキゼットからなる裏地より構成される土台部２、カップ部１及び肩紐４を備えたブラジャーと、マーキゼット生地からなる第一部材５及び第二部材６を用いた。第一部材５及び第二部材６の形状は、ともに直角三角形とし、そのサイズは第一部材５及び第二部材６ともに縦（垂辺）８ｃｍ、横（底辺）５ｃｍとした（例えば図２を参照）。上記サイズは、Ｃ（カップ）−75（アンダーバスト寸法）の場合を想定した。【００８０】
第一部材５及び第二部材６を、それぞれ次のようにして、脇バンド部３の裏側及び土台部２の裏側に縫着した。【００８１】
第一部材５の縦（垂辺）方向は、土台部２と脇バンド部３との境界縫合部（接合部）８を被うスパンテープ生地の下側（テープ生地と脇バンド部生地の間）に挟み、テープとともに縫い合わせた。第一部材５の底辺は、脇バンド部３の底辺を被覆するスパンテープ生地の下側（テープ生地と脇バンド部生地の間）に挟み、テープとともに縫い合わせた。第一部材５の斜辺は、端部を折り返し、脇バンド部３の生地に直接縫いつけた。【００８２】
また、第二部材６の縦（垂辺）方向は、接合部８を被うスパンテープ生地の下側（テープ生地と土台部生地の間）に挟み、テープとともに縫い合わせた。第二部材６の底辺は、土台部２の底辺を被覆するスパンテープ生地の下側（テープ生地と土台部生地の間）に挟み、テープとともに縫い合わせた。第二部材６の斜辺は、端部を折り返し、土台部２の生地に直接縫いつけた。【００８３】
以上のようにして、図７に示される本発明のブラジャーの第１形態実施例を製造した。
【実施例２】
【００８４】
本発明のブラジャーの第２形態を、次のようにして製造した（図３を参照）。【００８５】
パワーネット生地（伸縮性のある縦編み生地）からなる脇バンド部３、レース生地、編地等の裏側にマーキゼット生地を裏貼りした土台部２、カップ部１及び肩紐４を備えたブラジャーと、マーキゼット素材からなる第一部材５を用いた。第一部材５の形状は直角三角形とし、そのサイズは縦（垂辺）８ｃｍ、横（底辺）５ｃｍとした。上記サイズはＣ（カップ）−75（アンダーバスト寸法）の場合を想定した。【００８６】
第一部材５を、次のようにして、脇バンド部３の裏側に縫着した。【００８７】
第一部材５の縦（垂辺）方向は、土台部２と脇バンド部３との境界縫合部（接合部）８を被うスパンテープ生地の下側（テープ生地と脇バンド部生地の間）に挟み、テープとともに縫い合わせた。第一部材５の底辺は、脇バンド部３の底辺を被覆するスパンテープ生地の下側（テープ生地と脇バンド部生地の間）に挟み、テープとともに縫い合わせた。第一部材５の斜辺は、端部を折り返し、脇バンド部３の生地に直接縫いつけた。【００８８】
以上のようにして、本発明のブラジャーの第２形態実施例を製造した。
【試験例１】
【００８９】
上記実施例１で製造されたブラジャーを、モニター（４０代〜５０代の女性６名）に着用したところ、表１のような評価結果が得られた。結果は、次のＡ〜Ｃに該当するとモニター人数で評価した。
【００９０】
Ａ：その通り
Ｂ：そうならない
Ｃ：わからない
【００９１】
【表１】
2006018919.tif 000002
【００９２】
上記のように、全身（特に、顔部分、上半身、下半身等）において筋肉や皮膚に張りができ、シワやタルミが減少乃至解消されることが分かった。また、ほとんど圧迫感や締め付け感がなく、肩や腕が軽くなり、呼吸がし易くなる等の快適な着用感を有することも明らかとなった。
【００９３】
上記実施例２で製造されたブラジャーについても同様の評価結果が得られた。
【図２】
2006018919.tif 000003
【図７】
2006018919.tif 000004
【図１】
2006018919.tif 000005
【図３】
2006018919.tif 000006
【図４】
2006018919.tif 000007
【図５】
2006018919.tif 000008
【図６】
2006018919.tif 000009
【国際調査報告】
2006018919.tif 000010
2006018919.tif 000011
2006018919.tif 000012
2006018919.tif 000013